(57)【特許請求の範囲】
【請求項１】
広告媒体を管理するコンピュータシステムであって、
前記広告媒体に、当該広告媒体の識別情報を埋め込んだ識別画像を出力させる出力手段と、
前記識別画像を出力させた広告媒体の撮影画像を解析して、当該広告媒体の識別情報を読み取る読取手段と、
読み取った前記識別情報をデータベースに登録する登録手段と、
前記広告媒体の周辺が含まれた撮影画像を解析して、当該広告媒体の設置環境を特定する特定手段と、
をさらに備え、
前記登録手段は、特定した前記設置環境を、前記識別情報に対応付けて前記データベースに登録する、
ことを特徴とするコンピュータシステム。
【請求項２】
撮影画像の撮影場所の位置情報を取得する取得手段と、
をさらに備え、
前記登録手段は、取得した前記位置情報を、前記識別情報に対応付けて前記データベースに登録する、
ことを特徴とする請求項１に記載のコンピュータシステム。
【請求項３】
広告媒体を管理するコンピュータシステムであって、
前記広告媒体に、当該広告媒体の識別情報を埋め込んだ識別画像を出力させる出力手段と、
前記識別画像を出力させた広告媒体の撮影画像を解析して、当該広告媒体の識別情報を読み取る読取手段と、
読み取った前記識別情報をデータベースに登録する登録手段と、
前記出力手段は、前記広告媒体に、一定時間毎に変化する前記識別画像を出力させ、
前記読取手段は、前記一定時間毎に変化する識別画像を出力させた広告媒体の撮影画像を解析して、撮影日時を読み取るものであり、
前記撮影日時と、前記撮影日時を読み取った実施日時とが一定時間以上異なる場合、前記前記識別情報を新たに前記データベースに登録せず、既に登録されている場合、当該識別情報を削除する第１の削除手段と、をさらに備えることを特徴とするコンピュータシステム。
【請求項４】
過去に前記データベースに登録された位置情報の撮影場所で撮影された新たな撮影画像を解析した結果、前記識別情報を読み取れなかった場合、当該位置情報に対応付けられた識別情報を、前記データベースから削除する第２の削除手段と、
をさらに備えることを特徴とする請求項２に記載のコンピュータシステム。
【請求項５】
過去に前記データベースに登録された位置情報の撮影場所で撮影された新たな撮影画像を解析した結果、過去に前記データベースに登録された識別情報とは異なる識別情報を読み取った場合、新たに読み取った識別情報をデータベースに登録するとともに、過去に登録された識別情報を削除する第３の削除手段と、
をさらに備えることを特徴とする請求項２に記載のコンピュータシステム。
【請求項６】
広告媒体を管理するコンピュータシステムが実行する広告媒体管理方法であって、
前記広告媒体に、当該広告媒体の識別情報を埋め込んだ識別画像を出力させるステップと、
前記識別画像を出力させた広告媒体の撮影画像を解析して、当該広告媒体の識別情報を読み取るステップと、
読み取った前記識別情報をデータベースに登録するステップと、
前記広告媒体の周辺が含まれた撮影画像を解析して、当該広告媒体の設置環境を特定するステップと、
をさらに備え、
前記登録するステップでは、特定した前記設置環境を、前記識別情報に対応付けて前記データベースに登録することを特徴とする広告媒体管理方法。
【請求項７】
広告媒体を管理するコンピュータに、
前記広告媒体に、当該広告媒体の識別情報を埋め込んだ識別画像を出力させるステップ、
前記識別画像を出力させた広告媒体の撮影画像を解析して、当該広告媒体の識別情報を読み取るステップ、
読み取った前記識別情報をデータベースに登録するステップ、
前記広告媒体の周辺が含まれた撮影画像を解析して、当該広告媒体の設置環境を特定するステップ、を実行させ、
前記登録するステップでは、特定した前記設置環境を、前記識別情報に対応付けて前記データベースに登録する処理を実行させるためのコンピュータ読み取り可能なプログラム。
【発明の詳細な説明】
【技術分野】
【０００１】
本発明は、広告媒体を管理するコンピュータシステム、広告媒体管理方法及びプログラムに関する。
【背景技術】
【０００２】
近年、様々な広告コンテンツを出力する広告媒体（例えば、デジタルサイネージ）が知られている。このような広告媒体は、平面ディスプレイやプロジェクタ等によって広告コンテンツを出力するものである。【０００３】
このような広告媒体の設置場所の有効性を解析する方法として、例えば、広告媒体に２次元コードを掲載し、この２次元コードの読取結果と、この２次元コードを読み取った携帯端末の位置情報と、この２次元コードを用いた商品やサービスの請求や注文数とに基づいて、設置場所の有効性を解析する構成が開示されている（特許文献１参照）。
【先行技術文献】
【特許文献】
【０００４】
【特許文献１】特開２００４−７８５７３号公報
【発明の概要】
【発明が解決しようとする課題】
【０００５】
しかしながら、特許文献１の構成では、広告媒体に掲載された２次元コードは、全ての広告媒体で共通なものであるため、広告媒体それ自体を識別することができなかった。また、広告媒体に掲載された２次元コードのみを用いることから、広告媒体の設置環境を把握できるものでもなかった。【０００６】
本発明は、広告媒体を識別することが容易なコンピュータシステム、広告媒体管理方法及びプログラムを提供することを目的とする。
【課題を解決するための手段】
【０００７】
本発明では、以下のような解決手段を提供する。【０００８】
本発明は、広告媒体を管理するコンピュータシステムであって、
前記広告媒体に、当該広告媒体の識別情報を埋め込んだ識別画像を出力させる出力手段と、
前記識別画像を出力させた広告媒体の撮影画像を解析して、当該広告媒体の識別情報を読み取る読取手段と、
読み取った前記識別情報をデータベースに登録する登録手段と、
を備えることを特徴とするコンピュータシステムを提供する。【０００９】
本発明によれば、広告媒体を管理するコンピュータシステムは、前記広告媒体に、当該広告媒体の識別情報を埋め込んだ識別画像を出力させ、前記識別画像を出力させた広告媒体の撮影画像を解析して、当該広告媒体の識別情報を読み取り、読み取った前記識別情報をデータベースに登録する。【００１０】
本発明は、システムのカテゴリであるが、方法及びプログラム等の他のカテゴリにおいても、そのカテゴリに応じた同様の作用・効果を発揮する。
【発明の効果】
【００１１】
本発明によれば、広告媒体を識別することが容易なコンピュータシステム、広告媒体管理方法及びプログラムを提供することが可能となる。
【図面の簡単な説明】
【００１２】
【図１】図１は、広告媒体管理システム１の概要を示す図である。
【図２】図２は、広告媒体管理システム１の全体構成図である。
【図３】図３は、コンピュータ１０が実行する第１の識別画像登録処理のフローチャートを示す図である。
【図４】図４は、コンピュータ１０が実行する第１の広告媒体管理処理のフローチャートを示す図である。
【図５】図５は、コンピュータ１０が実行する第２の広告媒体管理処理のフローチャートを示す図である。
【図６】図６は、コンピュータ１０が実行する第２の識別画像登録処理のフローチャートを示す図である。
【図７】図７は、コンピュータ１０が実行する第３の広告媒体管理処理のフローチャートを示す図である。
【図８】図８は、コンピュータ１０が取得する第１撮影画像１００の一例を模式的に示す図である。
【発明を実施するための形態】
【００１３】
以下、本発明を実施するための最良の形態について図を参照しながら説明する。なお、これらはあくまでも例であって、本発明の技術的範囲はこれに限られるものではない。
【００１４】
［広告媒体管理システム１の概要］
本発明の好適な実施形態の概要について、図１に基づいて説明する。図１は、本発明の好適な実施形態である広告媒体管理システム１の概要を説明するための図である。広告媒体管理システム１は、コンピュータ１０から構成され、広告媒体を管理するコンピュータシステムである。
【００１５】
なお、広告媒体管理システム１は、広告コンテンツを出力する広告媒体（例えば、デジタルサイネージ）、広告媒体の管理者が所持する管理者端末（例えば、スマートフォンやタブレット端末等の携帯端末、パーソナルコンピュータ等の端末装置、スマートグラス等のヘッドマウントディスプレイ等のウェアラブル端末）、広告媒体や広告媒体の周辺の動画や静止画等の画像を撮影する撮影装置、その他の端末や装置類等が含まれていてもよい。この場合、広告媒体管理システム１は、後述する各処理を、コンピュータ１０と、含まれる端末や装置類との何れか又は複数の組み合わせにより実行すればよい。
【００１６】
また、広告媒体管理システム１は、例えば、コンピュータ１０等の１台のコンピュータで実現されてもよいし、クラウドコンピュータのように、複数のコンピュータで実現されてもよい。
【００１７】
コンピュータ１０は、上述した広告媒体、管理者端末、撮影装置、その他の端末や装置類等と公衆回線網等を介して、データ通信可能に接続されており、必要なデータの送受信を実行する。
【００１８】
コンピュータ１０は、広告媒体に、広告媒体の識別情報を埋め込んだ識別画像を出力させる。広告媒体は、上述した通り、様々な広告コンテンツを出力するものであり、例えば、デジタルサイネージである。広告コンテンツは、広告配信者が、会社、場所、商品、サービス等を視聴者等に伝達するための表現物であり、動画や静止画やテキスト等で作成されるものである。識別情報は、例えば、ＭＡＣアドレス、ＩＰアドレス、ＩＤ、管理番号である。この識別画像は、コンピュータ１０自身が作成したものや、その他の端末や装置類等が作成したものである。
【００１９】
コンピュータ１０は、この識別画像を広告媒体に送信する。広告媒体は、この識別画像を受信し、出力する。例えば、広告媒体は、識別画像を自身の表示部に表示したり、広告コンテンツを自身の表示部に表示したり、音声部から放音したりする。その結果、コンピュータ１０は、広告媒体に識別画像を出力させることになる。
【００２０】
コンピュータ１０は、識別画像を出力させた広告媒体の撮影画像を取得する。コンピュータ１０は、広告媒体が出力する識別画像を撮影可能な位置に設置された撮影装置が撮影した撮影画像や、同様なものを撮影可能な位置から管理者端末が撮影した撮影画像を取得する。
【００２１】
撮影装置や管理者端末は、この識別画像を動画や静止画等の画像として撮影する。撮影装置や管理者端末は、この撮影した画像を、撮影画像として、コンピュータ１０に送信する。コンピュータ１０は、撮影画像を受信することにより、識別画像を出力させた広告媒体の撮影画像を取得することになる。
【００２２】
このとき、コンピュータ１０は、識別画像とともに、広告媒体の周辺が含まれた撮影画像を取得することも可能である。コンピュータ１０は、上述した識別画像及びこの広告媒体周辺が撮影可能な位置に設置された撮影装置が撮影した撮影画像や、同様なものを撮影可能な位置から管理者端末が撮影した撮影画像を取得する。撮影装置や管理者端末は、この識別画像及び広告媒体の周辺を動画や静止画等の画像として撮影する。撮影装置や管理者端末は、この撮影した画像を、撮影画像として、コンピュータ１０に送信する。コンピュータ１０は、撮影画像を受信することにより識別画像を出力させた広告媒体及びこの広告媒体の周辺が含まれた撮影画像を取得することになる。
【００２３】
また、コンピュータ１０は、識別画像とともに、撮影画像の撮影場所の位置情報を取得することも可能である。コンピュータ１０は、識別画像を出力させた広告媒体の撮影画像とともに、この撮影画像を撮影した撮影場所の位置情報を併せて取得する。撮影装置は予め自信に設定された位置情報や、ＧＰＳ（Ｇｌｏｂａｌ  Ｐｏｓｉｔｉｏｎｉｎｇ  Ｓｙｓｔｅｍ）等から取得した自身の位置情報を撮影画像と併せてコンピュータ１０に送信する。また、管理者端末は、ＧＰＳ等から取得した自身の位置情報を撮影画像と併せてコンピュータ１０に送信する。コンピュータ１０は、撮影画像及び撮影場所の位置情報を受信することにより、撮影画像及び撮影場所の位置情報を取得することになる。さらに、このとき、撮影装置や管理者端末が撮影する画像は、識別画像だけでなく、広告媒体の周辺が含まれたものであってもよい。
【００２４】
コンピュータ１０は、取得した撮影画像を解析して、広告媒体の識別情報を読み取る。コンピュータ１０は、取得した撮影画像を画像解析し、この撮影画像の特徴点（例えば、形状、輪郭、色相）や特徴量（例えば、画素値の平均、分散、ヒストグラム等の統計的な数値）を抽出する。コンピュータ１０は、この特徴点や特徴量に基づいて、識別画像を認識し、この識別画像に埋め込まれた識別情報を読み取る。
【００２５】
コンピュータ１０は、解析の結果に基づいて、撮影画像における広告媒体の周辺の設置環境を特定することも可能である。コンピュータ１０は、抽出した特徴点や特徴量に基づいて、広告媒体の周辺に存在する物品等を特定し、この広告媒体がどのような設置環境（例えば、設置場所の種別や設置場所で扱っている商品やサービス）であるかを特定する。
【００２６】
コンピュータ１０は、この読み取った識別情報を自身に登録する。コンピュータ１０は、この読み取った識別情報をデータベース等に記録する。コンピュータ１０は、設置環境を特定している場合、読み取った識別情報と設置環境とを対応付けて登録することも可能である。また、コンピュータ１０は、撮影場所の位置情報を取得している場合、読み取った識別情報と位置情報とを対応付けて登録することも可能である。さらには、コンピュータ１０は、設置環境を特定するとともに、撮影場所の位置情報を取得している場合読み取った識別情報と設置環境と位置情報とを対応付けて登録することも可能である。
【００２７】
コンピュータ１０は、過去に位置情報を登録した撮影場所で撮影された新たな撮影画像を取得した場合、この新たな撮影画像に対して解析を行い、広告媒体の識別情報を読み取る。ここで、コンピュータ１０は、この撮影画像において、識別情報を読み取ることができなかった場合、過去に登録したこの撮影場所の位置情報に対応付けられた識別情報を削除する。コンピュータ１０は、この撮影画像において、過去に登録した識別情報とは異なる識別情報を読みとった場合、今回新たに読み取った識別情報をこの位置情報に対応付けて登録し、過去に登録した識別情報を削除する。
【００２８】
次に、広告媒体管理システム１が実行する処理の概要について説明する。
【００２９】
はじめに、コンピュータ１０は、広告媒体に、広告媒体の識別情報を埋め込んだ識別画像を出力させる（ステップＳ０１）。広告媒体及び識別情報は、上述した通りである。
【００３０】
コンピュータ１０は、識別画像を広告媒体に送信する。広告媒体は、識別画像を受信し、出力する。例えば、広告媒体は、識別画像を自身の表示部に表示する。その結果、コンピュータ１０は、広告媒体に識別画像を出力させることになる。
【００３１】
コンピュータ１０は、識別画像を出力させた広告媒体の撮影画像を取得する（ステップＳ０２）。コンピュータ１０は、上述した位置に設置された撮影装置が撮影した撮影画像や、上述した位置から管理者端末が撮影した撮影画像を取得する。
【００３２】
撮影装置や管理者端末は、この識別画像を動画や静止画等の画像として撮影し、撮影画像として、コンピュータ１０に送信する。コンピュータ１０は、撮影画像を受信することにより、識別画像を出力させた広告媒体の撮影画像を取得することになる。
【００３３】
コンピュータ１０は、取得した撮影画像を画像解析して、広告媒体の識別情報を読み取る（ステップＳ０３）。コンピュータ１０は、この撮影画像を画像解析し、特徴点や特徴量を抽出する。コンピュータ１０は、この特徴点や特徴量に基づいて、識別画像を認識し、この識別画像に埋め込まれた識別情報を読み取る。
【００３４】
コンピュータ１０は、読み取った識別情報を自身に登録する（ステップＳ０４）。コンピュータ１０は、読み取った識別情報を、データベース等に登録する。
【００３５】
以上が、広告媒体管理システム１が実行する処理の概要である。
【００３６】
［広告媒体管理システム１のシステム構成］
図２に基づいて、本発明の好適な実施形態である広告媒体管理システム１のシステム構成について説明する。図２は、本発明の好適な実施形態である広告媒体管理システム１のシステム構成を示す図である。図２において、広告媒体管理システム１は、コンピュータ１０から構成され、広告媒体を管理するコンピュータシステムである。
【００３７】
コンピュータ１０は、図示していない広告媒体、管理者端末、撮影装置、その他の端末や装置類等と、公衆回線網等を介して、データ通信可能に接続されており、必要なデータの送受信を実行する。
【００３８】
なお、広告媒体管理システム１は、図示していない広告媒体、管理者端末、撮影装置、その他の端末や装置類等が含まれていてもよい。この場合、広告媒体管理システム１は、後述する各処理を、コンピュータ１０と、含まれる端末や装置類との何れか又は複数の組み合わせにより実行すればよい。
【００３９】
また、広告媒体管理システム１は、例えば、コンピュータ１０等の１台のコンピュータで実現されてもよいし、クラウドコンピュータのように、複数のコンピュータで実現されてもよい。
【００４０】
コンピュータ１０は、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部として、他の端末や装置等と通信可能にするためのデバイス、例えば、ＩＥＥＥ８０２．１１に準拠したＷｉ―Ｆｉ（Ｗｉｒｅｌｅｓｓ―Ｆｉｄｅｌｉｔｙ）対応デバイス等を備える。また、コンピュータ１０は、記録部として、ハードディスクや半導体メモリ、記録媒体、メモリカード等によるデータのストレージ部を備える。また、コンピュータ１０は、処理部として、各種処理を実行する各種デバイス等を備える。
【００４１】
コンピュータ１０において、制御部が所定のプログラムを読み込むことにより、通信部と協働して、識別情報取得モジュール２０、識別画像出力モジュール２１、撮影画像データ取得モジュール２２を実現する。また、コンピュータ１０において、制御部が所定のプログラムを読み込むことにより、記録部と協働して、登録モジュール３０、削除モジュール３１を実現する。また、コンピュータ１０において、制御部が所定のプログラムを読み込むことにより、処理部と協働して、識別画像作成モジュール４０、識別画像特定モジュール４１、画像解析モジュール４２、識別情報読取モジュール４３、設置環境特定モジュール４４、識別情報一致判断モジュール４５、撮影日時特定モジュール４６、日時判断モジュール４７を実現する。
【００４２】
［第１の識別画像登録処理］
図３に基づいて、広告媒体管理システム１が実行する第１の識別画像登録処理について説明する。図３は、コンピュータ１０が実行する第１の識別画像登録処理のフローチャートを示す図である。上述した各モジュールが実行する処理について、本処理に併せて説明する。
【００４３】
識別情報取得モジュール２０は、識別画像を出力させる広告媒体の識別情報を取得する（ステップＳ１０）。ステップＳ１０において、識別情報取得モジュール２０は、管理者端末や広告媒体等からこの識別情報を取得する。管理者端末は、管理者から入力を受け付けた識別情報や自身に登録された管理対象となる広告媒体の識別情報を、コンピュータ１０に送信する。また、広告媒体は、自身に登録された識別情報をコンピュータ１０に送信する。識別情報取得モジュール２０は、この識別情報を受信することにより、広告媒体の識別情報を取得することになる。
【００４４】
識別画像作成モジュール４０は、取得した識別情報に基づいて、この識別情報を埋め込んだ第１識別画像を作成する（ステップＳ１１）。ステップＳ１１において、識別画像作成モジュール４０は、第１識別画像として、既知の方法に基づいて、例えば、２次元コードや電子透かしを作成する。
【００４５】
なお、上述したステップＳ１０及びＳ１１の処理の代わりに、コンピュータ１０は、識別情報が格納された第１識別画像そのものを取得する構成であってもよい。
【００４６】
登録モジュール３０は、作成した第１識別画像を登録する（ステップＳ１２）。ステップＳ１２において、登録モジュール３０は、この第１識別画像と、広告媒体の識別子（例えば、上述した識別情報の何れか、取得した識別情報そのもの）とを対応付けてデータベース等に登録する。
【００４７】
なお、登録モジュール３０は、第１識別画像のみを自身に登録する構成であってもよい。
【００４８】
以上が、第１の識別画像登録処理である。
【００４９】
［第１の広告媒体管理処理］
図４に基づいて、広告媒体管理システム１が実行する第１の広告媒体管理処理について説明する。図４は、コンピュータ１０が実行する第１の広告媒体管理処理のフローチャートを示す図である。上述した各モジュールが実行する処理について、本処理に併せて説明する。
【００５０】
識別画像特定モジュール４１は、広告媒体に出力させる第１識別画像を特定する（ステップＳ２０）。ステップＳ２０において、識別画像特定モジュール４１は、管理者端末や広告媒体からの出力要求に基づいて、この第１識別画像を特定する。管理者端末や広告媒体は、この第１識別画像を出力させる広告媒体の識別子及び第１識別画像をこの広告媒体に出力させる出力要求をコンピュータ１０に送信する。コンピュータ１０は、この出力要求を受信することにより、出力要求を取得する。
【００５１】
識別画像特定モジュール４１は、この出力要求に基づいて、第１識別画像を出力させる広告媒体を特定する。識別画像特定モジュール４１は、この出力要求に含まれる広告媒体の識別子に基づいて、この広告媒体に出力させる第１識別画像を特定する。識別画像特定モジュール４１は、上述したステップＳ１２の処理により登録した広告媒体の識別子のうち、出力要求に含まれる広告媒体の識別子と一致するものを特定する。識別画像特定モジュール４１は、この一致した広告媒体の識別子に対応付けられて登録された第１識別画像を特定する。その結果、コンピュータ１０は、第１識別画像を出力させる広告媒体と、この広告媒体に出力させる第１識別画像とを特定することになる。
【００５２】
識別画像出力モジュール２１は、広告媒体に、この広告媒体の識別情報を埋め込んだ第１識別画像を出力させる（ステップＳ２１）。ステップＳ２１において、識別画像出力モジュール２１は、出力要求に基づいて特定した広告媒体に対して、第１識別画像を送信する。広告媒体は、第１識別画像を受信する。広告媒体は、受信した第１識別画像を自身に出力する。例えば、広告媒体は、この第１識別画像を自身の表示部に表示する。広告媒体は、自身が出力する広告コンテンツにこの第１識別画像を重畳させる。その結果、コンピュータ１０は、広告媒体に、識別画像を出力させることになる。
【００５３】
なお、広告媒体は、第１識別画像を、広告媒体が出力する広告コンテンツの余白や、その他の場所に出力する構成であってもよい。また、広告媒体は、広告コンテンツを出力せずに、第１識別画像を出力する構成であってもよい。
【００５４】
撮影画像データ取得モジュール２２は、広告媒体及び広告媒体の周辺が含まれた第１撮影画像と、この第１撮影画像を撮影した場所の位置情報（第１撮影画像の撮影場所の位置情報）とを、第１撮影画像データとして取得する（ステップＳ２２）。ステップＳ２２において、第１撮影画像は、第１識別画像を出力した状態の広告媒体と、この広告媒体の周辺の設置環境を撮影した画像である。すなわち、第１撮影画像として撮影される広告媒体は、第１識別画像が撮影されたものとなる。位置情報は、第１撮影画像を撮影した撮影装置や管理者端末の位置情報である。
【００５５】
撮影装置は、広告媒体が出力する第１識別画像及びこの広告媒体の周辺の設置環境を撮影可能な位置に配置されたものである。この撮影装置は、広告媒体が出力中の第１識別画像と、広告媒体の周辺の設置環境とを撮影する。撮影装置は、自身に予め設定された位置情報や、ＧＰＳ等から取得した自身の位置情報を撮影場所の位置情報として用いる。また、管理者端末は、撮影装置と同様の位置から、広告媒体が出力中の第１識別画像と、広告媒体の周辺の設置環境とを撮影する。管理者端末は、ＧＰＳ等から取得した自身の位置情報を撮影場所の位置情報として用いる。
【００５６】
撮影装置や管理者端末は、撮影した第１撮影画像及び自身の位置情報を、第１撮影画像データとして、コンピュータ１０に送信する。撮影画像データ取得モジュール２２は、この第１撮影画像データを受信することにより、第１撮影画像データを取得する。その結果、コンピュータ１０は、広告媒体及び広告媒体の周辺が含まれた第１撮影画像と、この撮影場所の位置情報とを取得することになる。
【００５７】
なお、撮影画像データ取得モジュール２２は、第１撮影画像データとして、広告媒体の画像のみを取得する構成であってもよい。この場合、後述するステップＳ２６の処理において、登録モジュール３０は、第１識別画像から読み取った識別情報のみを登録することになる。
【００５８】
また、撮影画像データ取得モジュール２２は、第１撮影画像データとして、広告媒体及びこの広告媒体の周辺の設置環境を撮影した画像を取得する構成であってもよい。この場合、後述するステップＳ２６の処理において、登録モジュール３０は、第１識別画像から読み取った識別情報と、特定した設置環境とを対応付けて登録することになる。
【００５９】
また、撮影画像データ取得モジュール２２は、第１撮影画像データとして、広告媒体の画像及び撮影場所の位置情報を取得する構成であってもよい。この場合、後述するステップＳ２６の処理において、登録モジュール３０は、第１識別画像から読み取った識別情報と、取得した位置情報とを対応付けて登録することになる。
【００６０】
画像解析モジュール４２は、取得した第１撮影画像を画像解析する（ステップＳ２３）。ステップＳ２３において、画像解析モジュール４２は、取得した第１撮影画像データに基づいて、第１撮影画像を画像解析する。画像解析モジュール４２は、この第１撮影画像の特徴点や特徴量を抽出し、広告媒体が出力する第１識別画像を認識する及び広告媒体の周辺の物品等を認識する。
【００６１】
識別情報読取モジュール４３は、認識した第１識別画像に埋め込まれた識別情報を読み取る（ステップＳ２４）。ステップＳ２４において、識別情報読取モジュール４３は、既知の方法に基づいて、この第１識別画像に埋め込まれた識別情報を読み取る。識別情報読取モジュール４３は、例えば、この第１識別画像が２次元コードである場合、この２次元コードを読み取って、この２次元コードに埋め込まれた識別情報を読み取る。
【００６２】
設置環境特定モジュール４４は、認識した広告媒体の周辺の物品等に基づいて、この広告媒体の設置環境を特定する（ステップＳ２５）。ステップＳ２５において、設置環境特定モジュール４４は、認識した広告媒体の周辺の物品等に基づいて、この広告媒体がどういった場所に設置されているのかを特定する。例えば、設置環境特定モジュール４４は、周辺にお菓子を整列した棚を認識した場合、この広告媒体の設置環境が、スーパーのお菓子売場であると特定する。また、例えば、設置環境特定モジュール４４は、周辺に酒類を整列した棚を認識した場合、この広告媒体の設置環境が、スーパーの酒類売場であると特定する。
【００６３】
さらに、設置環境特定モジュール４４は、認識した広告媒体の周辺の物品等と、取得した撮影場所の位置情報とに基づいて、この広告媒体の設置環境を特定することも可能である。この場合、設置環境特定モジュール４４は、広告媒体の周辺の物品等の認識結果と、撮影場所の位置情報とに基づいて、この設置環境を特定する。設置環境特定モジュール４４は、この位置情報に基づいて、この広告媒体が設置された場所を特定する。例えば、設置環境特定モジュール４４は、外部の地図や位置情報と場所とを対応付けて登録したデータベースを参照し、この広告媒体が設置された場所を特定する。設置環境特定モジュール４４は、今回の撮影場所の位置情報が、スーパーに該当する場合、この広告媒体が設置された場所がスーパーであると特定する。また、設置環境特定モジュール４４は、広告媒体の周辺の物品等の認識結果に基づいて、この広告媒体の周辺にお菓子を整列した棚を認識した場合、設置環境特定モジュール４４は、この広告媒体の設置環境は、特定したスーパーのお菓子売場であると特定する。同様に、設置環境特定モジュール４４は、広告媒体の周辺の物品等の認識結果に基づいて、この広告媒体の周辺に酒類を整列した棚を認識した場合、設置環境特定モジュール４４は、この広告媒体の設置環境は、特定したスーパーの酒類売場であると特定する。
【００６４】
図８に基づいて、上述したステップＳ２３−Ｓ２５の処理について説明する。図８は、撮影画像データ取得モジュール２２が取得した第１撮影画像の一例を模式的に示す図である。図８において、画像解析モジュール４２は、第１撮影画像１００を画像解析する（ステップＳ２３の処理）。画像解析モジュール４２は、この第１撮影画像１００の画像解析の結果に基づいて、第１識別画像の認識及び広告媒体周辺の物品等の認識を実行する。画像解析モジュール４２は、この第１識別画像として、２次元コード１１０を認識する。また、画像解析モジュール４２は、広告媒体周辺の物品として、酒類が整列された棚１２０を認識する。
【００６５】
次に、識別情報読取モジュール４３は、この２次元コード１１０に埋め込まれた識別情報を読み取る（ステップＳ２４の処理）。識別情報読取モジュール４３は、この２次元コード１１０を読み取ることにより、この広告媒体の識別情報としてこの２次元コード１１０に埋め込まれたＭＡＣアドレス１３０を読み取る。
【００６６】
次に、設置環境特定モジュール４４は、この広告媒体周辺の物品である酒類が整列された棚１２０に基づいて、この広告媒体の設置環境１４０を特定する（ステップＳ２５の処理）。このとき、上述した通り、設置環境特定モジュール４４は、酒類が整列された棚１２０と、取得した位置情報とに基づいて、設置環境１４０を特定することも可能である。
【００６７】
図８における位置情報１５０は、第１撮影画像データに基づいたものである。
【００６８】
登録モジュール３０は、読み取った識別情報と、特定した設置環境と、撮影場所の位置情報とを対応付けた広告媒体管理データを自身に登録する（ステップＳ２６）。ステップＳ２６において、登録モジュール３０は、広告媒体管理データを、広告媒体管理データベースに登録する。このとき、登録モジュール３０は、広告媒体管理データにさらに他の情報等を付加して広告媒体管理データベースに登録することも可能である。
【００６９】
なお、登録モジュール３０は、上述した通り、識別情報のみを広告媒体管理データとして広告媒体管理データベースに登録する構成であってもよい。また、登録モジュール３０は、上述した通り、識別情報と、設置環境とを広告媒体管理データとして広告媒体管理データベースに登録する構成であってもよい。また、登録モジュール３０は、上述した通り、識別情報と、撮影場所の位置情報とを広告媒体管理データとして広告媒体管理データベースに登録する構成であってもよい。
【００７０】
以上が、第１の広告媒体管理処理である。
【００７１】
［第２の広告媒体管理処理］
図５に基づいて、広告媒体管理システム１が実行する第２の広告媒体管理処理について説明する。図５は、コンピュータ１０が実行する第２の広告媒体管理処理のフローチャートを示す図である。上述した各モジュールが実行する処理について、本処理に併せて説明する。なお、上述した各処理と同様の処理については、その詳細な説明は省略する。
【００７２】
識別画像特定モジュール４１は、広告媒体に出力させる第１識別画像を特定する（ステップＳ３０）。ステップＳ３０の処理は、上述したステップＳ２０の処理と同様である。
【００７３】
識別画像出力モジュール２１は、広告媒体に、この広告媒体の識別情報を埋め込んだ第１識別画像を出力させる（ステップＳ３１）。ステップＳ３１の処理は、上述したステップＳ２１の処理と同様である。
【００７４】
撮影画像データ取得モジュール２２は、広告媒体及び広告媒体の周辺が含まれた第１撮影画像と、この第１撮影画像を撮影した場所の位置情報（第１撮影画像の撮影場所の位置情報）とを、第１撮影画像データとして取得する（ステップＳ３２）。ステップＳ３２の処理は、上述したステップＳ２２の処理と同様である。
【００７５】
画像解析モジュール４２は、取得した第１撮影画像を画像解析する（ステップＳ３３）。ステップＳ３３の処理は、上述したステップＳ２３の処理と同様である。
【００７６】
なお、コンピュータ１０は、画像解析の結果に基づいて、上述するステップＳ２５の処理をさらに実行する構成であってもよい。
【００７７】
画像解析モジュール４２は、第１識別画像を認識できたか否かを判断する（ステップＳ３４）。ステップＳ３４において、画像解析モジュール４２は、第１撮影画像から抽出した特徴点や特徴量に基づいて、第１識別画像を認識できたか否かを判断する。
【００７８】
画像解析モジュール４２は、画像解析の結果、第１識別画像を認識できなかったと判断した場合（ステップＳ３４  ＮＯ）、削除モジュール３１は、過去に、広告媒体管理データとして登録したこの位置情報に対応する識別情報を削除する（ステップＳ３５）。ステップＳ３５において、削除モジュール３１は、今回取得した第１撮影画像データにおける撮影場所の位置情報と一致する、広告媒体管理データベースに登録された広告媒体管理データにおける位置情報を特定する。削除モジュール３１は、この特定した位置情報に該当する広告媒体管理データを、広告媒体管理データベースから削除する。すなわち、コンピュータ１０は、過去に広告媒体管理データに登録された、この位置情報に該当する識別情報に対応する広告媒体が撤去されたと判断することになり、この識別情報に該当する広告媒体管理データを、広告媒体管理データベースから削除することになる。ステップＳ３５の処理における削除モジュール３１は、第２の削除手段に該当するものである。
【００７９】
なお、削除モジュール３１は、今回取得した第１撮影画像データにおける撮影場所の位置情報と一致する、広告媒体管理データベースに登録された広告媒体管理データにおける位置情報を特定できなかった場合、本処理を終了することになる。すなわち、コンピュータ１０は、過去にこの位置情報に該当する識別情報が登録されていない場合、本処理を終了することになる。
【００８０】
上述したステップＳ３５の処理において、コンピュータ１０が、第１識別画像を認識できなかったということは、すなわち、識別情報を読み取ることができないということと同義となる。
【００８１】
一方、ステップＳ３４において、画像解析モジュール４２は、画像解析の結果、第１識別画像を認識できたと判断した場合（ステップＳ３４  ＹＥＳ）、識別情報読取モジュール４３は、認識した第１識別画像に埋め込まれた識別情報を読み取る（ステップＳ３６）。ステップＳ３６の処理は、上述したステップＳ２４の処理と同様である。
【００８２】
識別情報一致判断モジュール４５は、今回読み取った識別情報と、過去に、広告媒体管理データとして登録したこの位置情報に対応する識別情報とが一致するか否かを判断する（ステップＳ３７）。ステップＳ３７において、識別情報一致判断モジュール４５は、今回取得した第１撮影画像データにおける撮影場所の位置情報と一致する、広告媒体管理データベースに登録された広告媒体管理データにおける位置情報を特定する。識別情報一致判断モジュール４５は、今回読み取った識別情報と、この特定した位置情報に対応付けられた識別情報とが一致するか否かを判断する。
【００８３】
識別情報一致判断モジュール４５は、一致すると判断した場合（ステップＳ３７  ＹＥＳ）、コンピュータ１０は、本処理を終了する。コンピュータ１０は、この場合、過去に広告媒体管理データベースに登録された広告媒体と、今回読み取った識別情報に該当する広告媒体とは同一のものであると判断し、広告媒体管理データの変更の必要性が無いと判断することになる。
【００８４】
なお、登録モジュール３０は、今回の判断結果に基づいて、広告媒体管理データを更新する構成であってもよい。例えば、登録モジュール３０は、第１撮影画像を取得した日時や、識別情報を読み取った日時を、該当する広告媒体管理データに付加することも可能となる。
【００８５】
一方、ステップＳ３７において、一致しないと判断した場合（ステップＳ３７  ＮＯ）、削除モジュール３１は、過去に、広告媒体管理データとして登録したこの位置情報に対応する識別情報を削除する（ステップＳ３８）。ステップＳ３８において、削除モジュール３１は、今回取得した第１撮影画像データにおける撮影場所の位置情報と一致する、広告媒体管理データベースに登録された広告媒体管理データにおける位置情報を特定する。削除モジュール３１は、この特定した位置情報に該当する広告媒体管理データにおける識別情報を、広告媒体管理データベースから削除する。
【００８６】
登録モジュール３０は、上述したステップＳ３８の処理により削除した識別情報の代わりに、今回読み取った識別情報を広告媒体管理データとして登録する（ステップＳ３９）。ステップＳ３９において、登録モジュール３０は、今回削除した識別情報に対応付けられた設置環境及び撮影場所の位置情報と、今回読み取った識別情報とを対応付けて新たな広告媒体管理データとして、広告媒体管理データベースに登録する。
【００８７】
なお、コンピュータ１０は、過去の識別情報に該当する広告媒体管理データそのものを削除し、新たに読み取った識別情報に該当する広告媒体管理データを登録する構成であってもよい。この場合、コンピュータ１０は、過去の識別情報に該当する広告媒体管理データを削除した後、上述したステップＳ２５の処理と同様に、広告媒体の設置環境を特定し、今回読み取った識別情報と、今回特定した設置環境と、今回取得した撮影場所の位置情報とを対応付けて新たな広告媒体管理データとして広告媒体管理データベースに登録すればよい。
【００８８】
上述したステップＳ３８及びＳ３９の処理により、コンピュータ１０は、過去に広告媒体管理データに登録された、この位置情報に該当する識別情報に対応する広告媒体が撤去され、新たな識別情報に対応する広告媒体が、この位置情報に該当する場所に設置されたと判断することになる。コンピュータ１０は、撤去された広告媒体に該当する識別情報を広告媒体管理データから削除し、新たに設置された広告媒体に該当する識別情報を新たな広告媒体管理データとして広告媒体管理データベースに登録することになる。ステップＳ３８及びＳ３９の処理における登録モジュール３０及び削除モジュール３１が、第３の削除手段に該当するものである。
【００８９】
以上が、第２の広告媒体管理処理である。
【００９０】
［第２の識別画像登録処理］
図６に基づいて、広告媒体管理システム１が実行する第２の識別画像登録処理について説明する。図６は、コンピュータ１０が実行する第２の識別画像登録処理のフローチャートを示す図である。上述した各モジュールが実行する処理について、本処理に併せて説明する。なお、上述した各処理と同様の処理については、その詳細な説明は省略する。
【００９１】
識別情報取得モジュール２０は、識別画像を出力させる広告媒体の識別情報を取得する（ステップＳ４０）。ステップＳ４０の処理は、上述したステップＳ１０の処理と同様である。
【００９２】
識別画像作成モジュール４０は、取得した識別情報と、現在日時とに基づいて、この識別情報及び現在日時を埋め込んだ第２識別画像を作成する（ステップＳ４１）。ステップＳ４１において、現在日時は、この第２識別画像の作成日時と略同一なものとなる。識別画像作成モジュール４０は、第２識別画像として、既知の方法に基づいて、例えば、２次元コードや電子透かしを作成する。上述したステップＳ１１の処理との相違点は、この第２識別画像に、現在日時（作成日時）がさらに埋め込まれている点である。
【００９３】
なお、上述したステップＳ４０及びＳ４１の処理の代わりに、コンピュータ１０は、識別情報及び現在日時とが埋め込まれた第２識別画像そのものを取得する構成であってもよい。
【００９４】
登録モジュール３０は、作成した第２識別画像を登録する（ステップＳ４２）。ステップＳ４２において、登録モジュール３０は、この第２識別画像と、この広告媒体の識別子とを対応付けてデータベース等に登録する（ステップＳ４２）。
【００９５】
なお、登録モジュール３０は、第２識別画像のみを自身に登録する構成であってもよい。
【００９６】
コンピュータ１０は、上述したステップＳ４０−Ｓ４２の処理を、一定時間毎（例えば、数日毎、１日毎、１２時間毎、６時間毎）に実行する。その結果、登録モジュール３０は、一定時間毎に変化する第２識別画像を自身に登録することになる。
【００９７】
なお、削除モジュール３１は、一定時間が経過した第２識別画像を、自身から削除する構成であってもよい。例えば、登録モジュール３０が、上述したステップＳ４２の処理により、新たに第２識別画像を登録した際、削除モジュール３１は、過去に、この広告媒体の識別子と対応付けられた第２識別画像を削除することも可能である。
【００９８】
以上が、第２の識別画像登録処理である。
【００９９】
コンピュータ１０は、第１の広告媒体管理処理及び第２の広告媒体管理処理において、第２識別画像を用いることも可能である。この場合、コンピュータ１０は、第１の広告媒体管理処理及び第２の広告媒体管理処理において、第１識別画像の代わりに、第２識別画像を用いることになる。
【０１００】
［第３の広告媒体管理処理］
図７に基づいて、広告媒体管理システム１が実行する第３の広告媒体管理処理について説明する。図７は、コンピュータ１０が実行する第３の広告媒体管理処理のフローチャートを示す図である。上述した各モジュールが実行する処理について、本処理に併せて説明する。なお、上述した各処理と同様の処理については、その詳細な説明は省略する。
【０１０１】
識別画像特定モジュール４１は、広告媒体に出力させる第２識別画像を特定する（ステップＳ５０）。ステップＳ５０の処理は、上述したステップＳ２０の処理と略同様であるが、第１識別画像の代わりに、第２識別画像を用いる点が相違する。このとき、識別画像特定モジュール４１が特定する第２識別画像は、上述したステップＳ４２の処理により登録されたものである。この第２識別画像は、一定時間毎に変化するものである。
【０１０２】
識別画像出力モジュール２１は、広告媒体に、この広告媒体の識別情報を埋め込んだ一定時間毎に変化する第２識別画像を出力させる（ステップＳ５１）。ステップＳ５１の処理は、上述したステップＳ２１の処理と略同様であるが、第１識別画像の代わりに、第２識別画像を用いる点が相違する。この結果、コンピュータ１０は、広告媒体に、一定時間毎に変化する識別画像を出力させることになる。
【０１０３】
撮影画像データ取得モジュール２２は、広告媒体及び広告媒体の周辺が含まれた第２撮影画像と、この第２撮影画像を撮影した場所の位置情報（第２撮影画像の撮影場所の位置情報）と、この第２撮影画像を撮影した撮影日時とを、第２撮影画像データとして取得する（ステップＳ５２）。ステップＳ５２の処理は、上述したステップＳ２２の処理と略同様であるが、第１撮影画像及び第１撮影画像データの代わりに、第２撮影画像及び第２撮影画像データを用いる点が相違する。
【０１０４】
画像解析モジュール４２は、取得した第２撮影画像を画像解析する（ステップＳ５３）。ステップＳ５３の処理は、上述したステップＳ２３の処理と略同様であるが、第１撮影画像の代わりに、第２撮影画像を用いる点が相違する。
【０１０５】
なお、コンピュータ１０は、画像解析の結果に基づいて、上述するステップＳ２５の処理をさらに実行する構成であってもよい。
【０１０６】
識別情報読取モジュール４３は、認識した第２識別画像に埋め込まれた識別情報及び作成日時を読み取る（ステップＳ５４）。ステップＳ５４において、識別情報読取モジュール４３は、既知の方法に基づいて、この第２識別画像に埋め込まれた識別情報及びこの第２識別画像の作成日時を読み取る。識別情報読取モジュール４３は、例えば、この第２識別画像が２次元コードである場合、この２次元コードを読み取って、この２次元コードに埋め込まれた識別情報及び作成日時を読み取る。
【０１０７】
識別情報読取モジュール４３は、今回識別情報及び作成日時を読み取った日時を、読取実施日時として特定する（ステップＳ５５）。ステップＳ５５において、識別情報読取モジュール４３は、この第２識別画像から識別情報及び作成日時を読み取った日時を、読取実施日時として特定する。
【０１０８】
撮影日時特定モジュール４６は、この第２撮影画像の撮影日時を特定する（ステップＳ５６）。ステップＳ５６において、撮影日時特定モジュール４６は、第２撮影画像データに含まれる撮影日時に基づいて、この第２撮影画像の撮影日時を特定する。
【０１０９】
日時判断モジュール４７は、特定した撮影日時と、特定した読取実施日時とが所定時間以上異なるか否かを判断する（ステップＳ５７）。ステップＳ５７において、所定時間以上異なるか否かとは、例えば、この撮影日時と読取実施日時との間の時間が第２識別画像が変化する時間以内であるか否かである。具体的には、第２識別画像が１日毎に変化する場合、撮影日時と読取実施日時との間が１日以内であるか否かを判断するものである。日時判断モジュール４７は、この判断を実行することにより、第２識別画像の撮影日時と、実施に識別情報の読取実施日時との間に大きな差が存在するか否かを判断することになる。
【０１１０】
日時判断モジュール４７は、所定時間以上異なると判断した場合（ステップＳ５７  ＹＥＳ）、コンピュータ１０は、後述するステップＳ５９及びＳ６０の処理を実行する。
【０１１１】
一方、ステップＳ５７において、日時判断モジュール４７は、所定時間以上異ならないと判断した場合（ステップＳ５７  ＮＯ）、日時判断モジュール４７は、特定した読取実施日時と、読み取った作成日時とが所定時間以上異なるか否かを判断する（ステップＳ５８）。ステップＳ５８において、所定時間以上異なるか否かとは、例えば、この読取実施日時と作成日時との間の時間が第２識別画像が変化する時間以内であるか否かである。具体的には、第２識別画像が１日毎に変化する場合、読取実施日時と作成日時との間が１日以内であるか否かを判断するものである。日時判断モジュール４７は、この判断を実行することにより、第２識別画像の読取実施日時と、第２識別画像の作成日時との間に大きな差が存在するか否かを判断することになる。
【０１１２】
日時判断モジュール４７は、所定時間異ならないと判断した場合（ステップＳ５８  ＮＯ）、コンピュータ１０は、本処理を終了する。コンピュータ１０は、この場合、過去に広告媒体管理データベースに登録された広告媒体と、今回読み取った識別情報に該当する広告媒体とは同一のものであると判断し、広告媒体管理データの変更の必要性が無いと判断することになる。
【０１１３】
なお、登録モジュール３０は、今回の判断結果に基づいて、広告媒体管理データを更新する構成であってもよい。例えば、登録モジュール３０は、作成日時、読取実施日時、撮影日時を、該当する広告媒体管理データに付加することも可能となる。
【０１１４】
一方、ステップＳ５８において、日時判断モジュール４７は、所定時間以上異なると判断した場合（ステップＳ５８  ＹＥＳ）、登録モジュール３０は、今回読み取った識別情報を、広告媒体管理データとして登録しない（ステップＳ５９）。ステップＳ５９において、登録モジュール３０は、読み取った識別情報と、特定した設置環境と、撮影場所の位置情報とを対応付けた広告媒体管理データを広告媒体管理データベースに登録しない。
【０１１５】
削除モジュール３１は、過去に、広告媒体管理データとして登録したこの位置情報に対応する識別情報を削除する（ステップＳ６０）。ステップＳ６０において、削除モジュール３１は、今回取得した第２撮影画像データにおける撮影場所の位置情報と一致する、広告媒体管理データベースに登録された広告媒体管理データにおける位置情報を特定する。削除モジュール３１は、この特定した位置情報に該当する広告媒体管理データにおける識別情報を、広告媒体管理データベースから削除する。このとき、削除モジュール３１は、該当する広告媒体管理データそのものを削除することも可能である。
【０１１６】
上述したステップＳ５９及びＳ６０の処理により、コンピュータ１０は、過去に広告媒体管理データに登録された、この位置情報に該当する識別情報に対応する広告媒体が撤去され、新たな識別情報に対応する広告媒体が、この位置情報に該当する場所に設置されたと判断することになり、撤去された広告媒体に該当する識別情報を広告媒体管理データから削除することになる。また、コンピュータ１０は、過去に広告媒体管理データに登録された、この位置情報に該当する識別情報に対応する広告媒体を悪意を持った管理者が過去に撮影した写真を用いて広告媒体管理データを登録することを抑制することも可能となる。
【０１１７】
ステップＳ５９及びＳ６０の処理における登録モジュール３０及び削除モジュール３１が、第１の削除手段に該当するものである。
【０１１８】
以上が、第３の広告媒体管理処理である。
【０１１９】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記録装置又は外部記録装置に転送し記録して実行する。また、そのプログラムを、例えば、磁気ディスク、光ディスク、光磁気ディスク等の記録装置（記録媒体）に予め記録しておき、その記録装置から通信回線を介してコンピュータに提供するようにしてもよい。
【０１２０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【０１２１】
１  広告媒体管理システム、１０  コンピュータ
【要約】
【課題】本発明は、広告媒体を識別することが容易なコンピュータシステム、広告媒体管理方法及びプログラムを提供することを目的とする。
【解決手段】広告媒体を管理するコンピュータシステムは、広告媒体に、広告媒体の識別情報を埋め込んだ識別画像を出力させ、識別画像を出力させた広告媒体の撮影画像を解析して、広告媒体の識別情報を読み取り、読み取った識別情報をデータベースに登録する。
【選択図】図１【図１】
0006901212.tif 000002
【図２】
0006901212.tif 000003
【図３】
0006901212.tif 000004
【図４】
0006901212.tif 000005
【図５】
0006901212.tif 000006
【図６】
0006901212.tif 000007
【図７】
0006901212.tif 000008
【図８】
0006901212.tif 000009